(57)【要約】【課題】安定した強度を確保して風呂蓋を支持でき、入浴中に頭が干渉することがなく、また、風呂蓋からの雫が垂れてくることがない風呂蓋支持具を提供する。【解決手段】浴槽２の上面から宙に浮いた状態で浴室壁面４に取り付けられる風呂蓋支持具７であって、風呂蓋支持具７は、風呂蓋５の幅方向の半分以上の長さを有して風呂蓋５の荷重を受けることのできる受け部７１と、受け部７１から上方に立ち上がり風呂蓋５の滑りや落下を防止する立上り部７２と、受け部７１から浴室壁面４に当接して荷重を分散し得る当接部７３を備えて構成されている。【選択図】図１
2008080022.tif 000002
【特許請求の範囲】
【請求項１】
浴槽上面から宙に浮いた状態で浴室壁面に取り付けられる風呂蓋の支持具であって、
該支持具は、少なくとも風呂蓋の幅方向の半分以上の長さを有して風呂蓋の荷重を受けることのできる受け部と、該受け部から上方に立ち上がり風呂蓋の滑りや落下を防止する立上り部と、前記受け部から前記浴室壁面に当接して荷重を分散し得る当接部を備えていることを特徴とする風呂蓋の支持具。
【請求項２】
前記受け部には、風呂蓋を該受け部の底面から宙に浮いた状態で支持可能な凸部が部分的に突出形成されていることを特徴とする請求項１に記載の風呂蓋の支持具。
【請求項３】
前記受け部には、風呂蓋からの水滴を排水するための排水路が形成されていることを特徴とする請求項１または請求項２に記載の風呂蓋の支持具。
【請求項４】
前記受け部または立上り部から突出状に手掛け部または握りバーを設けたことを特徴とする請求項１または請求項２または請求項３に記載の風呂蓋の支持具。
【発明の詳細な説明】
【技術分野】
【０００１】
本発明は、浴室において風呂蓋を支持する支持具に関するものである。
【背景技術】
【０００２】
従来、例えば特許文献１に開示されているように、浴室の壁面に受け金具と留め金具を設けて、受け金具と留め金具間に風呂蓋を支持させる構造のものが存在する。
また、特許文献２に開示されているように、浴槽の一端縁に凹条を設け、この凹条に風呂蓋の下端を納めて、風呂蓋を浴室の壁面に沿って立て掛けるように構成した風呂蓋収納構造が存在する。
【特許文献１】実開平５−４３９８２号公報
【特許文献２】特開平８−３２２７５４号公報
【発明の開示】
【発明が解決しようとする課題】
【０００３】
上記特許文献１に開示されている構造では、受け金具上に支持させた風呂蓋からの水滴が入浴者の頭に垂れる虞があり、不快感を生ずるという問題点があり、また、この受け金具に手を掛けた場合等における強度が不十分であるという問題点があった。
また、上記特許文献２に開示されているような構造では、浴槽に形成した凹条に風呂蓋を納めるものであるため、風呂蓋が入浴者の頭と干渉する虞があり、また、風呂蓋の外周のエッジ材が浴槽と密着し、水膜を形成してカビや汚れ等が発生し易いという問題点があった。
【課題を解決するための手段】
【０００４】
本発明は上記従来の問題点に鑑み案出したものであって、安定して風呂蓋を支持することができ、入浴者の頭と干渉することもなく、頭の上に風呂蓋からの雫が垂れてくることもない風呂蓋の支持具を提供するものであり、その請求項１は、浴槽上面から宙に浮いた状態で浴室壁面に取り付けられる風呂蓋の支持具であって、該支持具は、少なくとも風呂蓋の幅方向の半分以上の長さを有して風呂蓋の荷重を受けることのできる受け部と、該受け部から上方に立ち上がり風呂蓋の滑りや落下を防止する立上り部と、前記受け部から前記浴室壁面に当接して荷重を分散し得る当接部を備えていることである。
【０００５】
また、請求項２は、前記受け部には、風呂蓋を該受け部の底面から宙に浮いた状態で支持可能な凸部が部分的に突出形成されていることである。
【０００６】
また、請求項３は、前記受け部には、風呂蓋からの水滴を排水するための排水路が形成されていることである。
【０００７】
また、請求項４は、前記受け部または立上り部から突出状に手掛け部または握りバーを設けたことである。
【発明の効果】
【０００８】
本発明は、浴槽上面から宙に浮いた状態で浴室壁面に取り付けられる風呂蓋の支持具であって、該支持具は、少なくとも風呂蓋の幅方向の半分以上の長さを有して風呂蓋の荷重を受けることのできる受け部と、該受け部から上方に立ち上がり風呂蓋の滑りや落下を防止する立上り部と、前記受け部から前記浴室壁面に当接して荷重を分散し得る当接部を備えていることにより、風呂蓋を支持具に載せると、風呂蓋は浴槽上面から宙に浮いた状態で浴室壁面に安定して支持され、宙に浮いているため入浴者の頭に干渉せず邪魔になることがなく、しかも、風呂蓋からの雫が入浴者の頭に垂れてこないため入浴中に不快感を生ずることがなく、また受け部に手をついたりして荷重がかかっても、当接部全体に荷重が分散されて、風呂蓋支持具が破損し難いものとなる。
【０００９】
また、前記受け部には、風呂蓋を該受け部の底面から宙に浮いた状態で支持可能な凸部が部分的に突出形成されていることにより、風呂蓋を支持具の上に置いた際に、凸部により、風呂蓋の外周のエッジ部が受け部に密着することがなく、風呂蓋と支持具間に水膜が形成されることがないため、カビや汚れが付き難いものとなる。
【００１０】
また、前記受け部には、風呂蓋からの水滴を排水するための排水路が形成されていることにより、風呂蓋の水滴が良好に排水路を介して排水されるために、風呂蓋の外周のエッジ部や支持具が汚れ難いものとなる。
【００１１】
また、前記受け部または立上り部から突出状に手掛け部または握りバーを設けたことにより、浴槽への出入りや浴槽内での立ち座り等の際に、手掛け部あるいは握りバーに手を添えて体重を支え、姿勢を安定させることができるものとなる。
【実施例】
【００１２】
以下、本発明の実施例を図面に基づいて説明する。
図１は、風呂蓋を風呂蓋支持具に支持させた状態の斜視構成図であり、図２は、風呂蓋支持具の側面拡大構成図であり、図３は、風呂蓋支持具の斜視構成図である。
浴室１には、洗い場３の奥側に浴槽２が設置されており、この浴槽２の上方の壁面４には、略水平状に風呂蓋支持具７が固設されており、また、風呂蓋支持具７の上方の壁面４にはフック６が設けられている。フック６は、壁面４から突出された軸６ａの先端に下向きに形成されている。
【００１３】
風呂蓋支持具７は、浴槽側へ略水平に延びる受け部７１と、受け部７１の先端で上方へ立ち上がる立上り部７２と、受け部７１の壁面４側に垂下状に一体形成された当接部７３からなり、当接部７３には横方向に間隔をおいて固定孔７４，７４が形成されている。
それぞれの固定孔７４内にビス８を差し込んで、ビス８を壁４に締め付け、ビス８の頭をビスキャップ９で隠して、風呂蓋支持具７が壁面４にビス８を介し固定されるものであり、この固定状態では、当接部７３が壁面４に広い面積で当接し、荷重を良好にこの当接部７３で分散することができるものである。
【００１４】
風呂蓋支持具７の受け部７１上には、組蓋で構成される風呂蓋５を載せることができ、風呂蓋５の荷重をこの受け部７１で受けることができるものである。また、立上り部７２により、風呂蓋５の滑りや落下を良好に防ぐことができるものである。
なお、この風呂蓋支持具７の横方向寸法は、風呂蓋５の横方向幅寸法の半分以上の長さを有するものである。
なお、受け部７１に洗い場３側へ勾配を形成させておくと、風呂蓋５からの雫が良好に受け部７１上を流れ、洗い場３に水滴を良好に排水することができ、浴槽２内に入浴している入浴者の頭部に雫が垂れることがなく、快適に入浴できるものとなる。
【００１５】
また、風呂蓋支持具７は浴槽２の上面から宙に浮いた上方に設置されるため、入浴者の頭と干渉することがなく、邪魔にならない位置に風呂蓋５を収納しておくことができるものとなる。
また、当接部７３が広い面積で壁面４に当接して荷重を分散することができるため、受け部７１や立上り部７２に手をついて荷重をかけた場合にも、風呂蓋支持具７が破損することがなく、強度が確保されるものとなる。
【００１６】
なお、風呂蓋５は、洗い場３側から受け部７１上に風呂蓋５の外周のエッジ材５ａを置き、その状態で洗い場側３側から押し込んで、横方向にスライドさせてフック６に掛止状にして、風呂蓋５を風呂蓋支持具７に支持させることができ、風呂蓋５を風呂蓋支持具７に収納させる操作を容易に行うことができるものであり、また、風呂蓋５を風呂蓋支持具７から取り外す際にも、洗い場３側へスライドさせ、良好に風呂蓋５を風呂蓋支持具７から引っ張り出すことができるものである。
なお、フック６は固定状のものであるが、このフック６が洗い場３側に設けられている場合には、フック６は軸６ａに対し回転できるように構成しておくと、風呂蓋５を掛止する際の操作が容易なものとなる。
【００１７】
なお、図４および図５は、風呂蓋支持具７の形状を変更した側面断面構成図である。
図４の風呂蓋支持具７は、当接部７３が受け部７１から上方へ立ち上げ形成されたものであり、この当接部７３には固定孔７４が形成されており、この固定孔７４内にビス８を通して、壁面４にビス８を締め付けて固定できるものであるが、ビス８を締め付ける際にドライバーを通すための孔が立上り部７２にドライバー孔７２ａとして形成されている。
【００１８】
また、図５では、受け部７１に対し上方へ立ち上がる上当接部７３ａと、受け部７１から下方へ垂下する下当接部７３ｂを有し、上当接部７３ａにはビス８を通す固定孔７４ａが形成されており、下当接部７３ｂにはビス８を通す固定孔７４ｂが形成されている。また、立上り部７２には、固定孔７４ａと整合する位置にドライバーを通すためのドライバー孔７２ａが形成されている。
この図５の構成では、当接部７３ａ，７３ｂが極めて広い面積で壁面４に当接され、しかも固定孔７４ａ，７４ｂが上下に形成されているため、強度を高めて壁面４に風呂蓋支持具７が固設されることとなり、立上り部７２や受け部７１に手をついて荷重がかかった場合にも、強固に荷重を受けることができるものとなる。
【００１９】
次に、図６の側面断面構成図で、図７の平面図で、また図８に正面図で示す風呂蓋支持具７は、更に形状を変更したものである。
この風呂蓋支持具７は、図９に当接部７３側から見た部分斜視図で示すように、受け部７１に上方へ立ち上げられた凸部７５が形成されており、この凸部７５は間隔をおいて２個以上形成されたものである。
また、受け部７１と当接部７３間に凹み状に排水路Ｍが形成されており、この排水路Ｍは、当接部７３の上端で受け部７１側へ水平に形成された排水面７７と、排水面７７の受け部７１側で立ち上がる立ち面７６で形成されている。
【００２０】
このような構成では、風呂蓋５を受け部７１上に載せた時に、風呂蓋５の外周のエッジ材が凸部７５，７５上に当接し、風呂蓋５は受け部７１の底面と密着しないために、密着することによる水膜が生成されることがなく、カビや汚れが風呂蓋５の外周のエッジ部あるいは受け部７１に付き難くなり、汚れ難いものとなる。
また、風呂蓋５からの雫は、受け部７１から排水路Ｍ内に流れ込み、排水路Ｍを通り良好に洗い場３側へ排水することができ、風呂蓋５に邪魔されることなくスムーズに雫を排水することができるものとなる。
【００２１】
なお、図１０は、排水路Ｍを備えた風呂蓋支持具７を浴槽２の上方に設置して、風呂蓋５を支持させた使用状態図であり、風呂蓋支持具７は浴槽２のかなり上方の壁面４に設置されるため、風呂蓋支持具７と浴槽２間の空間に、頭を干渉することなく配置させて良好に入浴することができ、図１０のように、風呂蓋支持具７の下方に枕１０を配置させたりして、よりリラックスした状態で入浴できるものである。なお、枕１０は浴槽２の上面に配置させて使用することもできる。
【００２２】
次に、図１１に、当接部７３側から見た斜視図で示す風呂蓋支持具７は、排水路Ｍのみを形成させたものであり、排水路Ｍを、洗い場３側に向かって水勾配のある傾斜排水面７７ａとしておけば、風呂蓋５からの水滴を排水路Ｍを通し、より良好に洗い場３側へ排水できるものとなる。
【００２３】
次に、図１２および図１３に示す風呂蓋支持具７は更に変更したものであり、この図１２，図１３の風呂蓋支持具７では、立上り部７２の上端に略水平に突出して水平突出部７８が一体形成されており、水平突出部７８の先端に、手を掛けることのできる手掛け部７９が略垂下状に一体形成されたものである。また、受け部７１上に凸部７５が形成され、当接部７３側に凹み状に排水路Ｍが形成されている点は図６のものと同様である。
このように、風呂蓋支持具７に一体で手掛け部７９を形成させておけば、浴槽２内への出入りの時、あるいは浴槽２内での立ち座りの際に、この手掛け部７９に手を掛けて姿勢を安定させることができるものとなる。
【００２４】
なお、図１４および図１５に示すものは、更に異なる変更例を示すものであり、図１４および図１５では、風呂蓋支持具７の立上り部７２に、取付アーム１１ａ，１１ａを介して樹脂あるいは金属製の握りバー１１を取り付けたものである。
この握りバー１１は別体で形成されて、取付アーム１１ａ，１１ａを風呂蓋支持具７の立上り部７２に取付固定したものであり、このような握りバー１１を設けておけば、浴槽２への出入り時、あるいは浴槽２内での立ち座りの時に、良好に握りバー１１を握り姿勢を安定させることができるものとなる。
【００２５】
次に、図１６，図１７，図１８で示すものは、更なる変更例であり、図１６，図１７，図１８で示す風呂蓋支持具７は、受け部７１の下部に当接部７３から前方へ突出させてノズル受け部１３，１３を例えば２個設けておき、各ノズル受け部１３，１３に首振り角度を調節可能に散水ノズル１２，１２をそれぞれ設けたものであり、この散水ノズル１２には、それぞれ図１８に示すように壁面４の裏側から配管１４を接続させておき、配管１４を通して各散水ノズル１２から図１６に示すように、肩口に湯水を散水させて、入浴中にマッサージ等を行うことができるものである。
なお、このような構成の場合は、半身浴等で肩口が露出している場合でも、散水ノズル１２からの湯水で寒くなることがなく、良好に半身浴を行うことができるものとなる。
【００２６】
なお、更には図１９に示すように、風呂蓋支持具７の立上り部７２，あるいは受け部７１から浴槽２側へ傾斜状に枕部１５を一体形成させておくこともでき、また、この枕部１５は別体で形成したものを風呂蓋支持具７の受け部７１あるいは立上り部７２に取付可能に構成しておくことができ、浴槽に浸かった状態で頭部を良好にこの枕部１５に載せて、リラックスした状態で入浴できるものとなる。
【図面の簡単な説明】
【００２７】
【図１】浴室における風呂蓋の収納状態の斜視構成図である。
【図２】風呂蓋支持具に風呂蓋を収納させた状態の側面拡大構成図である。
【図３】風呂蓋支持具の斜視構成図である。
【図４】風呂蓋支持具の変更例の側面断面構成図である。
【図５】更に異なる風呂蓋支持具の変更例の側面断面構成図である。
【図６】更に異なる変更例の風呂蓋支持具と風呂蓋の側面構成図である。
【図７】図６の風呂蓋支持具の平面概略構成図である。
【図８】図６の正面概略構成図である。
【図９】図６の風呂蓋支持具を当接側から見た一部拡大斜視構成図である。
【図１０】風呂蓋支持具の下方に枕を置いて入浴している状態の斜視構成図である。
【図１１】排水路を形成した風呂蓋支持具の当接部側からの斜視構成図である。
【図１２】手掛け部を備えた風呂蓋支持具の使用状態の斜視構成図である。
【図１３】図１２の風呂蓋支持具の側面断面構成図である。
【図１４】握りバーを備えた風呂蓋支持具の使用状態を示す斜視図である。
【図１５】図１４の風呂蓋支持具の側面断面構成図である。
【図１６】散水ノズルを備えた風呂蓋支持具の使用状態の斜視図である。
【図１７】散水ノズルを備えた風呂蓋支持具の斜視図である。
【図１８】図１７の設置状態の側面一部断面構成図である。
【図１９】枕部を備えた風呂蓋支持具の使用状態の斜視構成図である。
【符号の説明】
【００２８】
１  浴室
２  浴槽
３  洗い場
４  壁面
５  風呂蓋
６  フック
７  風呂蓋支持具
８  ビス
９  ビスキャップ
１０  枕
１１  握りバー
１１ａ  取付アーム
１２  散水ノズル
１３  ノズル受け部
１５  枕部
７１  受け部
７２  立上り部
７２ａ  ドライバー孔
７３  当接部
７３ａ  上当接部
７３ｂ  下当接部
７４  固定孔
７５  凸部
７６  立ち面
７７  排水面
７７ａ  傾斜排水面
７８  水平突出部
７９  手掛け部
Ｍ  排水路
【図１】
2008080022.tif 000003
【図２】
2008080022.tif 000004
【図３】
2008080022.tif 000005
【図４】
2008080022.tif 000006
【図５】
2008080022.tif 000007
【図６】
2008080022.tif 000008
【図７】
2008080022.tif 000009
【図８】
2008080022.tif 000010
【図９】
2008080022.tif 000011
【図１０】
2008080022.tif 000012
【図１１】
2008080022.tif 000013
【図１２】
2008080022.tif 000014
【図１３】
2008080022.tif 000015
【図１４】
2008080022.tif 000016
【図１５】
2008080022.tif 000017
【図１６】
2008080022.tif 000018
【図１７】
2008080022.tif 000019
【図１８】
2008080022.tif 000020
【図１９】
2008080022.tif 000021